(57)【要約】【課題】灯具の取り替えを容易に行うことができるスポットライトを提供する。【解決手段】光源部３０、レンズ部材１０、反射部材２０及び筐体４０を備える灯具４と、筐体４０を支持するアーム５と、を備え、アーム５は、アーム本体６０と灯具固定部材５０とを備え、灯具固定部材５０は、アーム本体６０に回動可能に接続され、筐体４０は、アーム本体６０と灯具固定部材５０とを分離することなく灯具固定部材５０に着脱可能である。【選択図】図４
2015135776.tif 000002
【特許請求の範囲】
【請求項１】
光源、光学部材及び筐体を備える灯具と、
前記筐体を支持するアームと、を備え、
前記アームは、アーム本体と灯具固定部材とを備え、
前記灯具固定部材は、前記アーム本体に回動可能に接続され、
前記筐体は、前記アーム本体と前記灯具固定部材とを分離することなく前記灯具固定部材に着脱可能である
スポットライト。
【請求項２】
前記灯具固定部材は、回動に要するトルクを調整可能に、前記アーム本体に接続される
請求項１に記載のスポットライト。
【請求項３】
前記筐体は、前記灯具固定部材の形状に対応する外部形状を有し、前記外部形状により、前記灯具固定部材が前記筐体に対して位置決めされる
請求項１又は２に記載のスポットライト。
【請求項４】
前記外部形状は、前記灯具固定部材が挿入される凹部である
請求項３に記載のスポットライト。
【請求項５】
前記筐体は、前記灯具固定部材に、ねじにより固定され、
前記外部形状は、前記ねじの軸線と平行な方向において前記灯具固定部材と嵌り合う形状である
請求項３又は４に記載のスポットライト。
【請求項６】
前記筐体は、前記筐体の外部から着脱可能な着脱部材により、前記灯具固定部材に固定される
請求項１〜５のいずれか１項に記載のスポットライト。
【発明の詳細な説明】
【技術分野】
【０００１】
本発明は、スポットライトに関し、特に、発光ダイオード（ＬＥＤ：Ｌｉｇｈｔ  Ｅｍｉｔｔｉｎｇ  Ｄｉｏｄｅ）等の発光素子を光源とするスポットライトに関する。
【背景技術】
【０００２】
半導体光源は、高効率及び長寿命であることから、従来から知られる照明器具の光源である白熱電球に対する代替光源として期待されている。中でも、光源としてＬＥＤを用いた照明器具の製品開発が盛んに進められている。
【０００３】
この種の照明器具として、例えば特許文献１には、ＬＥＤを光源とするスポットライトが開示されている。図８は、特許文献１に開示された従来のスポットライトの外観斜視図である。
【０００４】
図８に示されるように、特許文献１に開示されたスポットライト１００は、灯具１４０、アーム１６０及び電源ボックス１８０を備える。図８に示される灯具１４０は、内部に光源（不図示）とレンズ部材１１０とを備え、接続部１５０においてアーム１６０に接続される。また、光源としては、ＬＥＤを用いた光源が用いられる。電源ボックス１８０の内部には、外部から供給された交流電力を直流電力に変換する回路が備えられており、灯具１４０内の光源に配線（不図示）を介して直流電力を供給する。
【先行技術文献】
【特許文献】
【０００５】
【特許文献１】特開２０１０−７３６５４号公報
【発明の概要】
【発明が解決しようとする課題】
【０００６】
特許文献１に記載されたスポットライト１００においては、灯具１４０は、接続部１５０のボルトによって、アーム１６０に対して回動可能に接続されている。これにより、スポットライト１００の光照射方向を調整することができる。スポットライト１００においては、ユーザが手で灯具１４０をアーム１６０に対して回動することができ、かつ、アーム１６０に対して灯具１４０が所望の回動角度に維持されるように、上記ボルトの締め付けトルクが所定の値に調整されている。
【０００７】
ところで、長寿命のＬＥＤを光源として用いるスポットライトにおいても、他の光源を用いるスポットライトと同様に、光源を取り替えることがある。例えばＬＥＤが破損した場合、あるいは、出射光の色調を変更する場合などには、光源の取り替えが必要とされる。この場合、接続部１５０のボルトを取り外すことにより、灯具１４０をアーム１６０から取り外して、代替の灯具をボルトによりアーム１６０に取り付けることができる。
【０００８】
しかしながら、接続部１５０のボルトは、上述のとおり所定の締め付けトルクに調整される必要がある。したがって、灯具１４０の取り替えの度にボルトの締め付けトルクの調整を行わなければならないという問題がある。
【０００９】
本発明は、上記の問題を解決するためになされたものであり、灯具の取り替えを容易に行うことができるスポットライトを提供することを目的とする。
【課題を解決するための手段】
【００１０】
上記目的を達成するために、本発明に係るスポットライトの一態様は、光源、光学部材及び筐体を備える灯具と、前記筐体を支持するアームと、を備え、前記アームは、アーム本体と灯具固定部材とを備え、前記灯具固定部材は、前記アーム本体に回動可能に接続され、前記筐体は、前記アーム本体と前記灯具固定部材とを分離することなく前記灯具固定部材に着脱可能である。
【００１１】
また、本発明に係るスポットライトの一態様において、前記灯具固定部材は、回動に要するトルクを調整可能に、前記アーム本体に接続される構成としてもよい。
【００１２】
また、本発明に係るスポットライトの一態様において、前記筐体は、前記灯具固定部材の形状に対応する外部形状を有し、前記外部形状により、前記灯具固定部材が前記筐体に対して位置決めされる構成としてもよい。
【００１３】
また、本発明に係るスポットライトの一態様において、前記外部形状は、前記灯具固定部材が挿入される凹部である構成としてもよい。
【００１４】
また、本発明に係るスポットライトの一態様において、前記筐体は、前記灯具固定部材に、ねじにより固定され、前記外部形状は、前記ねじの軸線と平行な方向において前記灯具固定部材と嵌り合う形状である構成としてもよい。
【００１５】
また、本発明に係るスポットライトの一態様において、前記筐体は、前記筐体の外部から着脱可能な着脱部材により、前記灯具固定部材に固定される構成としてもよい。
【発明の効果】
【００１６】
本発明によれば、灯具の取り替えを容易に行うことができるスポットライトを提供することができる。
【図面の簡単な説明】
【００１７】
【図１】図１は、実施の形態１に係るスポットライト１の外観斜視図である。
【図２】図２は、実施の形態１に係るスポットライト１の分解斜視図である。
【図３】図３は、実施の形態１に係るスポットライト１の断面図である。
【図４】図４は、実施の形態１に係るスポットライト１の一部分解断面図である。
【図５】図５は、実施の形態１に係るスポットライト１の一部分解斜視図である。
【図６】図６は、実施の形態１に係るスポットライト１の一部分解斜視図である。
【図７】図７は、実施の形態２に係るスポットライト１ａの一部分解断面図である。
【図８】図８は、従来のスポットライト１００の外観斜視図である。
【発明を実施するための形態】
【００１８】
以下、本発明の実施の形態に係るスポットライトについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略又は簡略化する。
【００２０】
（実施の形態１）
まず、実施の形態１に係るスポットライトの構成要素について、図１及び図２を用いて説明する。
【００２１】
図１は、本実施の形態に係るスポットライトの外観斜視図である。
【００２２】
図２は、本実施の形態に係るスポットライトの分解斜視図である。
【００２３】
ここで、図１及び図２に示されるように、ｘ軸、ｙ軸及びｚ軸を定める。図１及び図２に示されるｚ軸は、スポットライトの出射光の光軸と平行な方向に設定されている。
【００２４】
図２に示されるように、本実施の形態に係るスポットライト１は、主な構成要素として、灯具４、及び、灯具４を支持するアーム５を備える。
【００２５】
図２に示される灯具４は、レンズ部材１０、反射部材２０、光源部３０及び筐体４０を備える。
【００２６】
図２に示されるアーム５は、灯具固定部材５０、アーム本体６０、ねじ７１、ボルト７２及びナット７３を備える。
【００２７】
以下、上記スポットライト１の上記各構成要素、灯具４の取り替え手順、及び、効果などについて説明する。
【００２８】
［光源部］
図２に示される光源部３０は、ＬＥＤ光源３１を有し、スポットライト１ａの外部の電源ユニット（不図示）から供給された直流電力によって所定の光を放射する。
【００２９】
光源部３０のＬＥＤ光源３１は、光源の一態様であって、発光素子を有する発光モジュールであり、所定の光を放射する。ＬＥＤ光源３１は、例えば、ベアチップである複数のＬＥＤチップが基板上に直接実装されたＣＯＢ（Ｃｈｉｐ  Ｏｎ  Ｂｏａｒｄ）型のＬＥＤが用いられる。基板としては、例えば絶縁被覆されたアルミニウムなどのメタルベース基板、樹脂基板、又はセラミック基板などが用いられる。基板は、筐体４０のねじ穴４３に、基板を貫通させたねじを捻じ込むことによって筐体４０に取り付けられる。これにより、ＬＥＤが発する熱は基板を介して筐体４０に伝導する。
【００３０】
［筐体］
図２に示される筐体４０は、灯具４の外郭をなす筐体である。また、筐体４０は、光源部３０が取り付けられる取付台、及び、光源部３０のＬＥＤ光源３１で発生する熱を放散させるヒートシンクとしても機能する。筐体４０は、金属材料を用いて形成されており、本実施の形態では、アルミニウム又はアルミニウム合金などを用いてダイカストにより成型される。
【００３１】
筐体４０は、内部に光源部３０を収容し、有底の略円柱状に形成された本体部４１と、本体部４１の底面に設けられた放熱フィン４２とを備える。
【００３２】
本体部４１は、光源部３０を取り付けるための固定部材である底面を有し、底面の内面（ｚ軸プラス側の面）とＬＥＤ光源３１の基板の裏面とが当接する。光源部３０は、光源部３０の基板を貫通させたねじを本体部４１の底面に設けられたねじ穴４３に捻じ込むことによって固定される。また、本体部４１の底面の外面（ｚ軸マイナス側の面）には複数の放熱フィン４２が設けられている。これにより、筐体４０は、ＬＥＤ光源３１で発生する熱を効率よく放散させることができる。
【００３３】
筐体４０の放熱フィン４２には、アーム５の灯具固定部材５０が固定される。放熱フィン４２には、灯具固定部材５０に対して位置決めするための凹部４４及び灯具固定部材５０を固定するためのねじ穴４５が形成されている。凹部４４は、アーム５の灯具固定部材５０の形状に対応する形状を有する。
【００３４】
［反射部材］
図２に示される反射部材２０は、反射機能を有する光学部材であって、ＬＥＤ光源３１からの光が入射する開口である入射口と、当該入射口から入射した光が反射部材２０から出射する開口である出射口とを有する。反射部材２０は、内径が入射口から出射口に向かって漸次大きくなるように構成された円環枠状（漏斗状）であり、例えば、ポリブチレンテレフタレート（ＰＢＴ）又はポリカーボネート（ＰＣ）等の硬質の白色樹脂材料を用いて形成することができる。ＰＢＴ又はＰＣを用いた反射部材２０は、耐熱性及び高反射率を有する。さらに、ＰＢＴ又はＰＣを用いることにより、反射部材２０の難燃グレードの選択が可能となる。
【００３５】
反射部材２０は、係止爪２１を有し、出射口を塞ぐように設けられたレンズ部材１０を係止爪２１によって係止することにより固定する。
【００３６】
反射部材２０の内周面は、ＬＥＤ光源３１からの光を反射する反射面である。上記反射面は、入射口から入射した光を反射させて出射口から出射させるように構成されている。
【００３７】
反射部材２０の外周面には、例えば、脚部が設けられ、反射部材２０と筐体４０とは、脚部が筐体４０の本体部４１とねじ止めされることにより固定される。
【００３８】
なお、反射部材２０は、硬質の白色樹脂材料以外によって形成されてもよく、例えば、アルミニウム等の金属材料によって形成されてもよい。あるいは、反射部材２０は、樹脂材料によって形成されて、その内面に、反射面として、銀やアルミニウム等の金属材料からなる金属蒸着膜（金属反射膜）が形成されてもよい。
【００３９】
［レンズ部材］
図２に示されるレンズ部材１０は、光学部材の一態様であり、ＬＥＤ光源３１と対向する位置に配置され、光入射面と光出射面とを有する。レンズ部材１０は、ＬＥＤ光源３１から光入射面に入射された光を光出射面から出射する。本実施の形態においては、レンズ部材１０は、光入射面に複数の同心円状の凸部を有するフレネルレンズである。
【００４０】
本実施の形態におけるレンズ部材１０は、反射部材２０の出射口を塞ぐように反射部材２０によって固定されている。このレンズ部材１０は、レンズ部材１０の厚さ方向の一方の面（図２でｚ軸マイナス側の面）である光入射面から入射したＬＥＤ光源３１からの光を、当該一方の面に対向する他方の面（図２でｚ軸プラス側の面）である光出射面から出射させる。レンズ部材１０は、その側面に凹部１１を有する。凹部１１には、反射部材２０の係止爪２１の少なくとも先端部が挿入される。
【００４１】
レンズ部材１０は、透光性材料を用いて形成されており、例えばＰＭＭＡ（アクリル）やポリカーボネート等の透明樹脂材料、又は、ガラス材料等の透明材料を用いて形成することができる。
【００４２】
［アーム］
図２に示されるアーム５は、灯具４を支持する支持部材であり、灯具固定部材５０とアーム本体６０とを備える。灯具固定部材５０及びアーム本体６０は、例えばアルミニウム又はアルミニウム合金などを用いてダイカストにより成型される。
【００４３】
灯具固定部材５０は、ボルト７２及びナット７３により、アーム本体６０に回動可能に接続される。ボルト７２は、アーム本体６０に形成された孔６１及び灯具固定部材５０の孔５２を貫通した状態で、ナット７３に取り付けられる。
【００４４】
灯具固定部材５０のアーム本体６０に対する回動に要するトルクは、トルク調整機構であるボルト７２及びナット７３の締め付けトルクにより調整される。当該締め付けトルクを調整して、回動に要するトルクを調整することにより、灯具固定部材５０は、アーム本体６０に対して所定のトルクによって回動でき、かつ、任意の回動角度に安定的に維持できるアーム５を実現できる。
【００４５】
アーム５の灯具固定部材５０は、灯具固定部材５０の孔５３を貫通させたねじ７１を筐体４０のねじ穴４５に捻じ込むことにより、灯具４を固定する。これにより、灯具４が、アーム本体６０に対して回動可能となり、灯具４からの出射光の照射方向が回動可能となる。
【００４６】
［灯具取り替え手順など］
次に、本実施の形態に係るスポットライト１の灯具４の取り替え手順について図３及び図４を用いて説明する。
【００４７】
図３は、本実施の形態に係るスポットライト１のｙｚ平面における断面図である。
【００４８】
図４は、本実施の形態に係るスポットライト１の灯具４をアーム５から取り外した状態のｙｚ平面における断面図である。
【００４９】
図３に示されるように、本実施の形態に係るスポットライト１の灯具４が、アーム５に固定された状態においては、アーム５の灯具固定部材５０に対して、灯具４の筐体４０が位置決めされて、ねじ７１が捻じ込まれている。
【００５０】
また、図４に示されるように、本実施の形態に係るスポットライト１の灯具４は、ねじ７１を灯具４から抜きとることにより、アーム５から取り外される。このように、本実施の形態に係るスポットライト１においては、アーム５の締め付けトルクが調整されたボルト７２を取り外すことなく、灯具４をアーム５から取り外すことが可能となる。また、灯具４をアーム５に取り付ける場合には、図４の一点鎖線で示されるように、アーム５の灯具固定部材５０の板状部５４を、灯具４の筐体４０に形成された凹部４４に嵌め合わせる。そして、灯具固定部材５０に対する筐体４０の位置決めを行った状態で、ねじ７１を捻じ込むことにより、灯具４をアーム５に取り付けることができる。なお、本明細書においては、「嵌め合わせる」との用語により、一方の部材を他方の部材によって所定の方向に挟んで、当該方向への一方の部材の他方の部材に対する移動を規制する状態とすることを意味する。
【００５１】
また、灯具固定部材５０の板状部５４を筐体４０の凹部４４に嵌め合わせた状態において、板状部５４の外側面（図３及び図４のｙ軸方向プラス側の面）と、凹部４４の周縁部の面とは、実質的に連続するように、板状部５４及び凹部４４が形成される。これにより、筐体４０と板状部５４との間に実質的に段差が形成されないため、筐体４０を把持する場合などに、板状部５４又は凹部４４が障害となることがない。また、灯具固定部材５０の存在が目立たないため、意匠上の効果も奏される。
【００５２】
また、本実施の形態に係るスポットライト１においては、図３及び図４に示されるように、灯具４の筐体４０には、凹部４４付近に凸部４６が形成されている。この凸部４６と凹部４４との間に灯具固定部材５０の突出部５５がｙ軸方向に嵌め合わされることにより、灯具固定部材５０に対する灯具４のｙ軸方向における移動が規制される。ここで、ｙ軸は、ねじ７１の軸線と平行である。したがって、灯具４は、凸部４６の部分及びねじ穴４５の部分の二箇所で灯具固定部材５０に対するｙ軸方向への移動を規制されるため、灯具固定部材５０に対してｙ軸方向に安定的に固定される。
【００５３】
次に、筐体４０の外部形状及び灯具固定部材５０の形状の対応関係について、図５及び図６を用いて詳細に説明する。
【００５４】
図５は、本実施の形態に係るスポットライト１の灯具４をアーム５から取り外して、アーム５をさらに分解した状態を示す一部分解斜視図である。
【００５５】
図６は、本実施の形態に係るスポットライト１の灯具４に灯具固定部材５０を取り付け、アーム本体６０を灯具固定部材５０から取り外した状態を示す一部分解斜視図である。
【００５６】
なお、図５及び図６においては、灯具固定部材５０及び筐体４０の形状を示すために、アーム本体６０と灯具固定部材５０とが分離されているが、灯具４の取り替え時にアーム本体６０と灯具固定部材５０とを分離する必要がないことは上述のとおりである。
【００５７】
図５及び図６に示されるように、筐体４０の外側に形成された凹部４４は、灯具固定部材５０の板状部５４に対応する形状を有する。本実施の形態においては、凹部４４と板状部５４とは、ｘ軸方向に互いに嵌り合うように形成されている。
【００５８】
また、図５及び図６に示されるように、筐体４０には、凹部４４の上方（ｙ軸プラス側）に凸部４６が形成されている。この凸部４６は、灯具固定部材５０の板状部５４が凹部４４に嵌め合わされた場合に、灯具固定部材５０の突出部５５のｙ軸方向への移動を規制するための構造である。
【００５９】
なお、筐体４０の凸部４６の横には、孔４７が形成されている。この孔４７は、スポットライト１の外部の電源ユニット（不図示）から光源部３０に直流電力を供給する配線（不図示）を通すための孔である。
【００６０】
灯具固定部材５０の板状部５４を筐体４０の凹部４４に嵌め合わせる場合には、図５の一点鎖線で示されるように、凹部４４内において、板状部５４をｚ軸方向のマイナス側からプラス側に向かってスライドさせる。これにより、灯具固定部材５０の突出部５５と筐体４０の凸部４６とが干渉することなく、板状部５４を凹部４４に嵌め合わせることができる。
【００６１】
板状部５４を凹部４４に嵌め合わせた状態においては、図６に示されるように、灯具固定部材５０の突出部５５及び筐体４０の凸部４６は、互いに対応する位置に配置される。
【００６２】
灯具固定部材５０及び筐体４０が以上に述べたような形状を有するため、板状部５４が、凹部４４に嵌め合わされた状態では、灯具固定部材５０の筐体４０に対するｘ軸方向への移動が、凹部４４により規制される。さらに、灯具固定部材５０の突出部５５の筐体４０に対するｙ軸方向への移動が、凹部４４及び凸部４６により規制される。また、灯具固定部材５０のｚ軸方向プラス側の端面を筐体４０に当接させることにより、灯具固定部材５０の筐体４０に対するｚ軸方向の位置決めが可能となる。これにより、灯具固定部材５０の筐体４０に対するｘ、ｙ及びｚ軸の各方向における位置決めが可能となる。さらに、灯具固定部材５０を一つのねじ７１で筐体４０に固定するだけで、アーム５に対して灯具４を安定的に固定することが可能となる。
【００６３】
［効果など］
以上に述べたように、本実施の形態に係るスポットライト１は、光源部３０、レンズ部材１０、反射部材２０及び筐体４０を備える灯具４と、筐体４０を支持するアーム５とを備える。そして、アーム５は、アーム本体６０と灯具固定部材５０とを備え、灯具固定部材５０は、アーム本体６０に回動可能に接続され、筐体４０は、アーム本体６０と灯具固定部材５０とを分離することなく灯具固定部材５０に着脱可能である。
【００６４】
これにより、灯具４を取り替える場合に、灯具固定部材５０をアーム本体６０に対して回動可能に接続する接続部を分解する必要がない。したがって、接続部を組み立てる際に必要なボルト７２の締め付けトルク調整などの作業が不要となるため、灯具４の取り替えが容易となる。
【００６５】
また、本実施の形態に係るスポットライト１においては、筐体４０は、灯具固定部材５０の形状に対応する外部形状を有し、当該外部形状により、灯具固定部材５０が筐体４０に対して位置決めされる。
【００６６】
これにより、灯具固定部材５０の筐体４０に対する位置決めが容易となるため、灯具４の取り替えをより容易に行うことが可能となる。
【００６７】
また、本実施の形態に係るスポットライト１においては、さらに、灯具固定部材５０と、筐体４０とは、ねじ７１により固定され、筐体４０は、ねじ７１の軸線と平行な方向において灯具固定部材５０と嵌り合う形状を備える。
【００６８】
これにより、筐体４０が灯具固定部材５０に固定される場合に、筐体４０のねじ７１の軸線と平行な方向への移動が、ねじ７１だけでなく、筐体４０の嵌め合い構造によっても規制されるため、筐体４０が、ねじ７１の軸線と平行な方向において安定的に固定される。さらに、本実施の形態に係るスポットライト１においては、筐体４０は、ねじ７１の軸線と垂直な方向にも、灯具固定部材５０と嵌め合う形状である凹部４４を備える。これにより、灯具固定部材５０は、ねじ７１によって固定される場合に、ねじ７１とともに回転して配置がずれることがない。
【００６９】
また、本実施の形態に係るスポットライト１においては、灯具４の筐体４０は、筐体４０の外部から着脱可能な着脱部材であるねじ７１により、灯具固定部材５０に固定される。
【００７０】
これにより、灯具４を分解することなく、灯具固定部材５０に着脱することができる。したがって、灯具４の分解及び組み立てに伴い得るレンズ部材１０及び反射部材２０の取り付け不良などの問題が生じない。
【００７１】
（実施の形態２）
次に、実施の形態２に係るスポットライトについて説明する。
【００７２】
本実施の形態は、筐体及び灯具固定部材の構成において、上記実施の形態１と異なるが、基本的な構成要素は、上記実施の形態１と同様であるので、本実施の形態と上記実施の形態１との相違点のみ説明する。
【００７３】
本実施の形態では、上記実施の形態１に係るスポットライト１よりも、灯具の取り替えをより容易に行うことができるスポットライトを示す。
【００７４】
本実施の形態に係るスポットライトについて、図７を用いて説明する。
【００７５】
図７は、本実施の形態に係るスポットライトの灯具固定部材と灯具とを分離した状態の断面を示す一部分解断面図である。
【００７６】
図７に示されるように、本実施の形態に係るスポットライト１ａは、灯具４ａの筐体４０ａ、及び、アーム５ａの灯具固定部材５０ａの構成において、上記実施の形態１に係るスポットライト１と異なる。
【００７７】
図７に示されるように、筐体４０ａは、おねじ部４８を備える。また、灯具固定部材５０ａは、上記実施の形態１に係るスポットライト１の放熱フィン４２と、灯具固定部材５０とを一体化させたような形状を有する。さらに、灯具固定部材５０ａには、筐体４０ａのおねじ部４８に対応する形状を有するめねじ部５６、及び、スポットライト１ａの外部の電源ユニット（不図示）から光源部３０に直流電力を供給する配線（不図示）を通すための孔５７が形成されている。
【００７８】
次に、本実施の形態に係るスポットライト１ａにおける灯具４ａの取り替え手順について説明する。
【００７９】
灯具４ａをアーム５ａに取り付ける場合には、筐体４０ａに形成されたおねじ部４８が、灯具固定部材５０ａに形成されためねじ部５６に捻じ込まれる。ここで、めねじ部５６は、おねじ部４８に対応する形状を有する。
【００８０】
なお、灯具４ａの光源部３０に接続される配線（不図示）は、筐体４０ａのおねじ部４８の先端中央部から引き出され、灯具４ａの取り付け前に、灯具固定部材５０ａに形成された孔５７に通される。また、光源部３０に接続される配線は、筐体４０ａに形成された孔などを通して筐体４０ａの外部に引き出されてもよい（図５及び図６に示される孔４７参照）。
【００８１】
また、灯具４ａをアーム５ａから取り外す場合には、アーム５ａの灯具固定部材５０ａを固定した状態で、灯具４ａの筐体４０ａをｚ軸の周りに回転させる。
【００８２】
したがって、本実施の形態に係るスポットライト１ａにおいても、上記実施の形態１と同様に、灯具４ａを取り替える場合に、アーム５ａのアーム本体６０と灯具固定部材５０ａとを分離する必要がない。すなわち、締め付けトルクが管理されたボルト７２及びナット７３を取り外す必要がないため、灯具４ａの取り替え時のボルト７２及びナット７３の締め付けトルクの調整が不要である。また、灯具４ａのアーム５ａに対する固定のために、ねじなどの着脱部材が使用されないため、灯具４ａのアーム５ａに対する固定を容易に行うことができる。
【００８３】
なお、本実施の形態においては、筐体４０ａは、放熱フィンを備えないが、おねじ部４８などにおいて灯具固定部材５０ａに接触することによって、光源部３０が発する熱を灯具固定部材５０ａに伝導させて放散する。
【００８４】
以上に述べたように、本実施の形態に係るスポットライト１ａにおいても、上記実施の形態１と同様に、筐体４０ａは、アーム本体６０と灯具固定部材５０ａとを分離することなく、灯具固定部材５０ａに着脱可能に固定される。さらに、灯具４ａの筐体４０ａとアーム５ａの灯具固定部材５０ａとは、着脱部材を用いることなしに、着脱可能に接続される。
【００８５】
これにより、灯具４ａの取り替えをより一層容易に行うことが可能となる。
【００８６】
（変形例など）
以上、本発明に係るスポットライトについて、実施の形態に基づいて説明したが、本発明は、これらの実施の形態に限定されるものではない。
【００８７】
例えば、上記実施の形態１においては、灯具固定部材５０の形状に対応する外部形状として、筐体４０に形成された凹部４４を用いたが、当該外部形状としては、これに限られない。例えば、筐体４０の外側面に、灯具固定部材５０の板状部５４と嵌り合う複数の突出部を形成してもよい。
【００８８】
また、上記各実施の形態においては、光源として、ＣＯＢ型のＬＥＤを用いたが、他の光源を用いてもよい。例えば、表面実装（ＳＭＤ：Ｓｕｒｆａｃｅ  Ｍｏｕｎｔ  Ｄｅｖｉｃｅ）型ＬＥＤを用いてもよい。また、有機ＥＬ素子など他の固体発光素子、又は、固体発光素子以外の他の光源を用いてもよい。
【００８９】
また、上記各実施の形態においては、灯具が備える光学部材として、反射部材及びフレネルレンズを用いたが、その他の光学部材を用いてもよい。例えば、フレネルレンズのみ、又は、フレネルレンズ以外のレンズのみを用いてもよいし、レンズ以外の透光性部材と反射部材とを用いてもよい。
【００９０】
また、上記各実施の形態においては、灯具の外部の電源ボックスから光源部に直流電力を供給する構成を用いたが、他の構成を用いてもよい。例えば、灯具の内部に交流電力を直流電力に変換する電源回路を設けて、外部から交流電力を供給する構成、灯具の内部に直流電源を備える構成などを用いてもよい。
【００９１】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９２】
１、１ａ、１００  スポットライト
４、４ａ、１４０  灯具
５、５ａ、１６０  アーム
１０、１１０  レンズ部材
１１  凹部
２０  反射部材
２１  係止爪
３０  光源部
３１  ＬＥＤ光源
４０、４０ａ  筐体
４１  本体部
４２  放熱フィン
４３、４５  ねじ穴
４４  凹部
４６  凸部
４７、５２、５３、５７、６１  孔
４８  おねじ部
５０、５０ａ  灯具固定部材
５４  板状部
５５  突出部
５６  めねじ部
６０  アーム本体
７２  ボルト
７３  ナット
１５０  接続部
１８０  電源ボックス
【図１】
2015135776.tif 000003
【図２】
2015135776.tif 000004
【図３】
2015135776.tif 000005
【図４】
2015135776.tif 000006
【図５】
2015135776.tif 000007
【図６】
2015135776.tif 000008
【図７】
2015135776.tif 000009
【図８】
2015135776.tif 000010